(57)【要約】【課題】お湯の吐出口が真下に向いた電気ポットにおいて、お湯の張ったカップにお湯を追加する場合、吐出口を出たお湯は自由落下してカップ内のお湯の水面に達するが、当該自由落下したお湯はカップ内のお湯の水面に衝撃を与え、これによりお湯の一部が飛散し、飛散したお湯がカップを持つ手に達し火傷を生じる事があった。【解決手段】電気ポットの吐出口近傍にお湯の吐出の開始または中止を制御するための制御スイッチを設け、更に当該スイッチに向かって斜め下方にお湯を吐出する吐出口を備える。【選択図】図３
2007222522.tif 000002
【特許請求の範囲】
【請求項１】
吐出口近傍に設置された湯の吐出を開始または中止するための制御スイッチと、当該スイッチに向いて斜め下方に湯を吐出する吐出口を備えたことを特徴とする電気ポット。
【発明の詳細な説明】
【技術分野】
【０００１】
本発明は電気ポットに関し、特に給湯時のお湯の飛散を抑制する構造に関する。
【背景技術】
【０００２】
電気ポットの給湯時におけるお湯の飛散を抑制する従来技術としては、吐出口を通過するお湯を整流するものがある。
【特許文献１】特開２００４−０１６４８４号公報
【発明の開示】
【発明が解決しようとする課題】
【０００３】
図１にカップに追加でお湯を注ぐ場合の従来技術の作用について説明する。
【０００４】
図１に見るように、従来技術においてカップ１にお湯を張り追加でお湯を足す場合、追加のお湯２は電気ポットの吐出口３より吐出し自由落下した後、カップ１に張られたお湯の水面４に接触する。
【０００５】
しかし追加のお湯２とお湯の水面４はそれぞれ表面張力を持っているため直ちに融合は行なわれず、追加のお湯２はお湯の水面４を瞬間的に押し下げる。
【０００６】
その結果、一時的に気泡５と押し下げられた水面である溝６が生じる。
【０００７】
溝６には、水圧７が加わるため直ちに溝６の底は上昇するが、勢い余り水面４を超え盛り上がる。
【０００８】
この勢いにより、お湯の雫８が生成され、お湯の雫８は任意の方向に飛散する。
【０００９】
この飛散したお湯の雫８は、時々カップを持つ手の甲に達し、火傷の原因となる。
【００１０】
本発明は、当該お湯の雫８の飛散を抑制し、火傷の低減を図るものである。
【課題を解決するための手段】
【００１１】
電気ポットの吐出口近傍にお湯の吐出の開始または中止を制御するための給湯制御スイッチを設け、更に当該スイッチに向かって斜め下方にお湯を吐出する吐出口を備える。
【発明の効果】
【００１２】
図１におけるお湯の雫８の飛散は、追加のお湯２の勢いと最初に水面に達するお湯の量に応じて多くなる。
【００１３】
本発明においては、吐出口の近傍にお湯の吐出を制御する給湯制御スイッチを設けていため、お湯をカップに注ぐ場合、当該カップを吐出口の下にあてがい、当該カップの縁で当該制御スイッチを押す事が自然な動作となる。
【００１４】
この動作により、吐出口とカップの水面との距離は常に最小に保たれ、故にお湯の落差は最小となる。
【００１５】
図２に本発明における吐出口の作用を示す。
【００１６】
図２は、本発明の吐出口に設置したカップの内壁に、吐出口より出た最初のお湯がカップの内壁に広がった瞬間を図示したものである。
【００１７】
図２中、９はカップの上辺であり、１０はお湯の水面であり、１１は吐出口の位置を示す想像線であり、１２はカップの内壁に広がったお湯であり、１３はカップの内壁に広がったお湯１２の内最初にお湯の水面１０に達するお湯の範囲を示す想像線であり、１４は２番目にお湯の水面１０に達するお湯の範囲を示す想像線であり、１５は３番目にお湯の水面１０に達するお湯の範囲を示す想像線であり、１６は最後にお湯の水面１０に達するお湯の範囲の下限を示す想像線である。
【００１８】
図２に示す通り、吐出口を出たお湯は楕円形にカップの内壁に広がる。
【００１９】
このため図２に示すように、カップ内壁に広がったお湯１２は時間差を持ってお湯の水面１０に達する。
【００２０】
このため吐出したお湯が水面１０に与える衝撃は分散される。
【００２１】
更に、カップの内壁に広がったお湯１２は、カップとの間の摩擦力や表面張力により減速され、自由落下した時よりも落下速度が低下する。
【００２２】
このように吐出口近傍にお湯の吐出を制御する制御スイッチを設けることによりお湯の落差が最小となり、更にお湯をカップの内壁に向けて吐出することによりお湯が水面に与える衝撃が分散され、お湯の追加により発生するお湯の雫の飛散が抑制される。
【発明を実施するための最良の形態】
【００２３】
図３に本発明の最良の実施形態の断面図を示す。
【００２４】
図３中、１７は蓋体であり、１８は蒸気排気路であり、１９は蒸気排気口であり、２０はヒンジピンであり、２１は内容器であり、２２は胴体であり、２３は排出管であり、２４は電動ポンプであり、２５は給湯通路であり、２６は吐出口であり、２７は給湯制御スイッチであり、２８は口部であり、２９は操作パネルであり、３０は電子制御基盤である。
【００２５】
図３に示すように、給湯の開始と停止を制御する給湯制御スイッチ２７は口部２８の下側で吐出口２６の上に付いている。
【００２６】
また給湯通路２５は、口部２８内で縦方向に湾曲し、吐出口２６ではお湯を斜め下側に向かって吐出する構造となっている。
【００２７】
図４に本発明の最良の実施形態の作用を示す。
【００２８】
図４中、３１は内容器２１内に溜まったお湯であり、３２は給湯通路２５を通って吐出口２６より吐出されるお湯であり、３３はカップであり、３４はカップ３３内のお湯の水面である。
【００２９】
図４に見るように、カップ３３にお湯を注ぐ場合、カップ３３内に本発明の吐出口２６を入れ、カップ３３の縁で給湯制御スイッチ２７を押す。
【００３０】
これにより給湯が開始され、電動ポンプ２４は内容器２１内に溜まったお湯３１を吸い込み、供給通路２５に吐出口２６より吐出されるお湯３２として放出する。
【００３１】
お湯３２は、口部２８内を通り吐出口２６より吐出されるが、吐出口２６がカップ３３の内壁に隣接するため、お湯３２はカップ３３の内壁を広がりカップ３３内のお湯の水面３４に達する。
【００３２】
本発明の最良の実施形態において、カップ３３にお湯を注ぐ場合、カップ３３の上辺で給湯制御スイッチ２７を押すことが自然な動作であり、このためカップ３３の位置は制約され、お湯３２の落差は最小となる。
【００３３】
またお湯３２は、カップ３３の内壁に一端広がってからお湯の水面３４に達するため、お湯３２がお湯の水面３４に与える衝撃は緩和される。
【００３４】
以上の作用により、お湯３２とカップ３３内のお湯の水面３４の接触により発生する気泡および溝は低減され、この事によりお湯の雫の飛散は抑制される。
【図面の簡単な説明】
【００３５】
【図１】従来技術の作用を示した図である。
【図２】本発明における吐出口の作用を示した図である。
【図３】本発明の最良の実施形態の断面を示した図である。
【図４】本発明の最良の実施形態の作用を示した図である。
【符号の説明】
【００３６】
１    カップ
２    追加のお湯
３    吐出口
４    お湯の水面
５    気泡
６    溝
７    水圧の想像線
８    お湯の雫
９    カップの上辺
１０  お湯の水面
１１  吐出口の位置を示す想像線
１２  カップの内壁に広がったお湯
１３  最初にお湯の水面１０に達するお湯の範囲を示す想像線
１４  ２番目にお湯の水面１０に達するお湯の範囲を示す想像線
１５  ３番目にお湯の水面１０に達するお湯の範囲を示す想像線
１６  最後にお湯の水面１０に達するお湯の範囲の下限を示す想像線
１７  蓋体
１８  蒸気排気路
１９  蒸気排気口
２０  ヒンジピン
２１  内容器
２２  胴体
２３  排出管
２４  電動ポンプ
２５  給湯通路
２６  吐出口
２７  給湯制御スイッチ
２８  口部
２９  操作パネル
３０  電子制御基盤
３１  内容器２１内に溜まったお湯
３２  吐出口２６より吐出されるお湯
３３  カップ
３４  カップ３３内のお湯の水面
【図１】
2007222522.tif 000003
【図２】
2007222522.tif 000004
【図３】
2007222522.tif 000005
【図４】
2007222522.tif 000006